(57)【特許請求の範囲】
【請求項１】
高分子溶液を流延支持体に流延し、該高分子溶液を冷却ゲル化して流延支持体から剥ぎ取り、該剥ぎ取ったウェブの端部を差込構造体で押し込んでピンテンターに差込み、該ピンテンターでウェブの端部を担持して搬送させつつ乾燥させる溶液製膜方法において、前記差込構造体を冷却することにより、差込構造体がウェブに接触してから離れる間、該差込構造体と接触しているウェブの表面温度がウェブのゲル化温度を超えないようにすることを特徴とする溶液製膜方法。
【請求項２】
前記差込構造体をカバーで被い、該カバーに冷却風を導入することにより差込構造体を冷却する請求項１記載の溶液製膜方法。
【請求項３】
前記カバーに吸引手段を設け、ウェブ近傍の異物を吸引除去する請求項２記載の溶液製膜方法。
【請求項４】
前記差込構造体がウェブを押し込むところの静圧が、カバー外の気圧に対して−１００〜１００Ｐａであることを特徴とする請求項２又は３に記載の溶液製膜方法。
【請求項５】
高分子がセルローストリアセテートであることを特徴とする請求項１、２、３又は４に記載の溶液製膜方法。
【請求項６】
高分子溶液を流延支持体に流延し、該高分子溶液を冷却ゲル化して流延支持体から剥ぎ取り、該剥ぎ取ったウェブの端部を差込構造体で押し込んでピンテンターに差込み、該ピンテンターでウェブの端部を担持して搬送させつつ乾燥させる溶液製膜装置において、前記差込構造体を冷却する冷却手段が設けられていることを特徴とする溶液製膜装置。
【請求項７】
前記冷却手段が、差込構造体を被うカバーと、該カバー内に冷却風を導入する冷却風導入手段とである請求項６に記載の溶液製膜装置。
【請求項８】
前記カバーに、ウェブ近傍の異物を吸引除去する吸引除去手段が設けられている請求項７に記載の溶液製膜装置。
【発明の詳細な説明】
【０００１】
【発明の属する技術分野】
本発明は、ウェブがピンテンターから外れることなく搬送できるようにした溶液製膜方法及び溶液製膜装置に関するものである。
【０００２】
【従来の技術】
一般に、セルロースアセテート、ポリカーボネート、セロファン等のフィルムの一部は溶液製膜法で製造されている。この溶液製膜法は、流延ダイから高分子溶液であるドープをベルト式又はドラム式の流延支持体に流延し、流延支持体上で冷却ゲル化して剥ぎ取り、この剥ぎ取ったウェブをテンターにより両端を担持しつつ搬送しながら乾燥させるものであった（特開昭６２−４６６２５号公報、特開昭６２−４６６２６号公報等）。
【０００３】
このテンターには、ピンテンターとクリップテンターとがあり、ピンテンターにおいては、ウェブの端部を噛み込みブラシ等の差込構造体で下方に押し込んでピンテンターのピンに差込むものであった。
【０００４】
【発明が解決しようとする課題】
しかしながら、従来のピンテンターによるウェブの搬送においては、一度ピンテンターに差し込んだウェブが、ピンテンタ−から外れて搬送できなることがあった。特に、搬送速度を速くすると顕著になり、製膜の生産性向上を妨げるものであった。
【０００５】
本発明は、以上の問題点を解決し、搬送速度を早くした場合であっても、ウェブがピンテンターから外れることなく、良好に搬送できるようにした溶液製膜方法及び溶液製膜装置を提供することを目的とする。
【０００６】
【課題を解決するための手段】
本発明者は、ウェブがピンテンターから外れる問題に関し鋭意検討し、ウェブをピンテンターに噛み込ませる時、噛み込みブラシの温度が高いと、ゲル化したウェブがゾルに戻り噛み込みブラシに接着することが原因であることを見出した。そして、搬送速度を速くすると、ウェブの残留揮発分が多いのでゲル化温度が上昇し、その結果ウェブがピンテンターに接着し易くなるものであった。
【０００７】
本発明は、以上の知見に基づきなされたもので、噛み込みブラシ等の差込構造体を冷却することにより、ウェブの温度の上昇を抑制したものである。
【０００８】
本発明による溶液製膜方法は、高分子溶液を流延支持体に流延し、該高分子溶液を冷却ゲル化して流延支持体から剥ぎ取り、該剥ぎ取ったウェブの端部を差込構造体で押し込んでピンテンターに差込み、該ピンテンターでウェブの端部を担持して搬送させつつ乾燥させる溶液製膜方法において、前記差込構造体を冷却することにより、差込構造体がウェブに接触してから離れる間、該差込構造体と接触しているウェブの表面温度がゲル化温度を超えないようにすることを特徴として構成されている。
【０００９】
本発明による溶液製膜方法においては、差込構造体を冷却しているので、ウェブが差込構造体に接してもゲル化温度を超えて上昇するのを抑制し、ウェブが差込構造体に接着するのを防止している。
【００１０】
本発明による溶液製膜装置は、高分子溶液を流延支持体に流延し、該高分子溶液を冷却ゲル化して流延支持体から剥ぎ取り、該剥ぎ取ったウェブの端部を差込構造体で押し込んでピンテンターに差込み、該ピンテンターでウェブの端部を担持して搬送させつつ乾燥させる溶液製膜装置において、前記差込構造体を冷却する冷却手段が設けられていることを特徴として構成されている。
【００１１】
本発明による溶液製膜装置においては、冷却手段が差込構造体を冷却し、ウェブが差込構造体に接してもゲル化温度を超えて上昇するのを抑制し、ウェブが差込構造体二接着するのを防止している。
【００１２】
【発明の実施の形態】
本発明の溶液製膜方法においては、差込構造体を冷却することにより、差込構造体がウェブに接触してから離れる間、差込構造体と接触しているウェブの表面温度がゲル化温度を超えないようにするものである。差込構造体を冷却する冷却手段は、特に限定されるものでなく、差込構造体をカバーで被って冷却風導入手段で冷却風を導入することにより行っても、差込構造体を直接冷却することにより行ってもよい。
【００１３】
また、冷却によりウェブの表面温度がゲル化温度を超えないようにするが、ゲル化温度より２℃以上低いことが好ましく、ゲル化温度より３℃以上低いことがより好ましい。
【００１４】
冷却風としては、差込構造体等によって適宜変更されるが、−４０〜０℃が好ましく、−３０〜−１０℃がより好ましい。
【００１５】
また、冷却手段として冷却風を用いる場合、ウェブ近傍の異物を吸引することが好ましい。すなわち、ウェブをピンテンターのピンに差込むことによりゴミが発生するが、このゴミを冷却風が周辺に撒き散らすことがあり、撒き散らされたゴミがウェブに付着して製品として耐え得ないものとなり、製品の歩留まりが悪化するものである。したがって、ピンの差込みによって発生するゴミ等の異物を吸引除去する吸引除去手段を設け、異物を除去することにより、ウェブ表面をクリーンな状態に保つことができ、その結果、歩留まりの悪化を防止することができる。
【００１６】
したがって、ウェブ近傍の異物を吸引する場合、差込構造体がウェブをピンテンターに差込むところは、冷却風が供給されると同時に吸引されることとなり、この個所の静圧が、カバー外部の気圧より−１００〜１００Ｐａであることが好ましく、−７０〜７０Ｐａであることがより好ましく、−５０〜５０Ｐａが最も好ましい。
【００１７】
静圧が−１００Ｐａ未満であると、高温のテンター乾燥風を吸い込むので冷却効率が落ちウェブの表面温度を充分に低くすることができず、また、静圧が１００Ｐａを超えると、ゴミ等の異物を撒き散らすこととなり歩留まりが悪化するものである。
【００１８】
差込構造体としては、ウェブをピンにさしこめるものであれば材質は特に制約はない。例えば、円盤にブラシを埋め込んだものを用いることができる。
【００１９】
本発明の溶液製膜方法の高分子溶液としては、セルロースエステル、ポリカーボネート、アラミド系ポリマー、ノルボルネン系ポリマー等の溶液を用いることができる。セルロースエステルとしては、セルロースの低級脂肪酸エステルを用いることが好ましい。低級脂肪酸とは、炭素原子数が６以下の脂肪酸を意味する。炭素原子数は、２（セルロースアセテート）、３（セルロースプロピオネート）または４（セルロースブチレート）であることが好ましい。セルロースアセテートが特に好ましい。セルロースアセテートプロピオネートやセルロースアセテートブチレートのような混合脂肪酸エステルを用いてもよい。
【００２０】
本発明の溶液製膜方法で製造されるフィルムは、偏光板用保護フィルム、光学機能性膜（光学補償シート、反射防止膜、輝度向上膜等）、等に利用することができる。
【００２１】
本発明による溶液製膜方法の一実施形態を図面を参照して説明する。
図１は、溶液製膜方法を実施する溶液製膜装置のテンター乾燥部の概略側面図、図２はテンター乾燥部のウェブの搬送方向から見た概略図、図３はテンター乾燥部の概略平面図である。
【００２２】
図１において、１０は図中右方向へ走行自在に設けられたピンテンターで、このピンテンター１０の上部にはウェブ２０が担持されて搬送されるようになっている。３０は差込構造体としての回転自在に設けられた噛み込みブラシで、この噛み込みブラシ３０の下端部がウェブ２０を下方に押し下げることにより、ピンテンター１０のピンに差込むようになっている。
【００２３】
噛み込みブラシ３０は底面が開口した箱状のブラシカバー４０の中に収納されており、乾燥風が直接当らないようになっている。このブラシカバー４０は、搬送方向略中央の上部に冷却風が導入される冷却風導入口４１が形成されており、この冷却風導入口４１には冷却風導入手段（図示せず）が送風管（図示せず）で連結されている。そして、これらブラシカバー４０及び冷却風導入手段が、噛み込みブラシ３０を冷却する冷却手段となっている。
【００２４】
また、ブラシカバー４０の外側の壁には、搬送方向において排気口４２が２ヶ所形成されており、この排気口４２の内側には、ウェブ２０上面近傍まで伸びた案内板４３が形成されている。また、排気口４２の外側には、吸引手段（図示せず）が送風管（図示せず）で連結されている。
【００２５】
以上のようなテンター乾燥部の構成において、ウェブをピンテンターで搬送するには、流延部から送られて来たウェブ２０を、回転している噛み込みブラシ３０で下方に押し込み、ピンテンター１０のピンに差込み担持させる。そして、ウェブ２０は、このようにピンテンター１０で担持された状態で搬送されつつ乾燥される。
【００２６】
また、噛み込みブラシ３０においては、冷却風供給手段から冷却風を冷却風導入口４１を介してブラシカバー４０の内部へ導入する。導入された冷却風は、上部から下部へ送られ、この過程において噛み込みブラシ３０を冷却する。したがって、ウェブ２０は噛み込みブラシ３０で押し込まれる際接触するが、噛み込みブラシ３０により加熱されることがなく、ゲル化温度以上に上昇することがない。
【００２７】
さらに、吸引手段により排気口４２を介してウェブ２０上方の空気を吸引しており、この吸引により、ウェブ２０がピンテンター１０のピンに差込まれた時等に発生したゴミをブラシカバー４０外へ排出している。したがって、ゴミがウェブ２０に付着することがないので、ウェブの品質を良好に維持することができる。
【００２８】
ブラシカバー４０内は、冷却風が導入されるとともに、吸引排気されており、噛み込みブラシ３０でウェブ２０を押し込むところの靜圧が、ブラシカバー４０外の気圧に対して−１００〜１００Ｐａの範囲になるように設定されている。すなわち、冷却風の風量及び吸引排気の風量を調整することにより、上記範囲において効果的に冷却できるようにする。
【００２９】
【実施例】
図１に示すテンタ−乾燥部を有する溶液製膜装置でセルローストリアセテートフィルムを製造した。
【００３０】
使用したドープの処方を以下に示す。
ＴＡＣ                                          ２００質量部
可塑剤                                            ２４質量部
塩化メチレン                                    ６５０質量部
メタノール                                      １１２質量部
ブタノール                                        １２質量部
紫外線吸収剤                                        ２質量部
【００３１】
なお、可塑剤としては、トリフェニルフォスフェート及びビフェニルジフェニルフォスフェートを用い、紫外線吸収剤としては、２（２'−ヒドロキシ−３',５'−ジ−ｔｅｒｔ−アミルフェニル）−５−ベンゾトリアゾール（１．３質量％）、２（２'−ヒドロキシ−３',５'−ジ−ｔｅｒｔ−ブチルフェニル）−５−クロルベンゾトリアゾール（０．７質量％）を用いた。
【００３２】
上述したドープを用い、ウェブ表面温度、ブラシカバー内静圧を変更して行った。
結果を表１に示す。
【表１】
0003952720.tif 000002
【００３３】
【発明の効果】
本発明は、以上のように構成したので、ウェブをピンテンターにより高速で搬送したとしても、ウェブがピンテンターから外れることなく確実に搬送することができる。その結果、フィルムの生産性を向上させることができる。
【図面の簡単な説明】
【図１】  本発明による溶液製膜方法の一実施形態を実施する溶液製膜装置のテンター乾燥部の概略側面図である。
【図２】  本発明による溶液製膜方法の一実施形態を実施する溶液製膜装置のテンター乾燥部をウェブの搬送方向から見た概略図である。
【図３】  本発明による溶液製膜方法の一実施形態を実施する溶液製膜装置のテンター乾燥部の概略平面図である。
【符号の説明】
１０…ピンテンター
２０…ウェブ
３０…噛み込みブラシ
４０…ブラシカバー
４１…冷却風導入口
４２…排気口
【図１】
0003952720.tif 000003
【図２】
0003952720.tif 000004
【図３】
0003952720.tif 000005